(57)【要約】【課題】従来、サーモパイルによる温度分布センサにより、人間の存在の有無を検知し、人間が存在しない領域に対しては、照明器具をＯＦＦにすることで省エネを実現している。しかしながら、人間の有無以外の情報を考慮していないため、実情に合った省エネを実現することができないという課題が生じる。【解決手段】位置情報管理システム８は、人間の存在の有無だけでなく、所定空間の所定の位置に応じて制御対象手段の制御内容を調整するため、より実情に合った省エネを実現することができるという効果を奏する。【選択図】図１
2016066604.tif 000002
【特許請求の範囲】
【請求項１】
所定空間の温度を検知する検知装置と通信可能であり、前記所定空間における１以上の制御対象手段の位置を管理する位置情報管理システムであって、
前記所定空間内の所定の領域における熱源の有無を示す熱源有無情報、及び前記所定空間における各制御対象手段の制御内容を関連付けて管理する第１の制御指針管理手段と、
前記所定空間の所定の位置を示す位置情報、及び前記制御内容を調整する調整情報を関連付けて管理する第２の制御指針管理手段と、
前記検知装置から、前記所定空間内の複数の領域のそれぞれの温度を示す検知データを受信する受信手段と、
前記検知データに基づいて、前記領域毎の熱源有無情報を含んだ熱源データを生成する第１の生成手段と、
前記熱源データに含まれた前記熱源有無情報に基づいて前記第１の制御指針管理手段を検索することにより読み出した特定の制御内容に対して、前記制御対象手段の位置に基づいて前記第２の制御指針管理手段を検索することにより読み出した特定の調整情報を考慮して、前記領域毎に最終的な制御内容を示す制御データを生成する第２の生成手段と、
前記第２の生成手段によって生成された前記制御データを、前記各制御対象手段を備えた各制御対象装置に送信する送信手段と、
を有することを特徴とする位置情報管理システム。
【請求項２】
前記制御対象装置が照明器具であり、前記制御対象手段が前記照明器具におけるランプである場合、前記制御内容は、前記ランプの調光度を示すことを特徴とする請求項１に記載の位置情報管理システム。
【請求項３】
前記所定空間が居室の場合、前記位置情報は窓側又は廊下側を示し、前記調整情報は前記窓側よりも前記廊下側の方が前記ランプの調光度が最大に近い旨を示すことを特徴とする請求項２に記載の位置情報管理システム。
【請求項４】
前記所定空間が居室の場合、前記位置情報は、精密作業場所、事務作業場所、又は休憩場所を示し、前記調整情報は、精密作業場所、事務作業場所、休憩場所の順番で前記ランプの調光度が最大に近い旨を示すことを特徴とする請求項２に記載の位置情報管理システム。
【請求項５】
前記ランプは、ＬＥＤランプであることを特徴とする請求項１乃至４のいずれか一項に記載の位置情報管理システム。
【請求項６】
請求項１乃至５のいずれか一項に記載の位置情報管理システムと、
前記検知装置と、
を有することを特徴とする位置管理システム。
【請求項７】
所定空間の温度を検知する検知装置と通信可能であり、前記所定空間における１以上の制御対象手段の位置を管理する位置情報管理システムが実行する位置情報管理方法であって、
前記位置情報管理システムは、
前記所定空間内の所定の領域における熱源の有無を示す熱源有無情報、及び前記所定空間における各制御対象手段の制御内容を関連付けて管理する第１の制御指針管理手段と、
前記所定空間の所定の位置を示す位置情報、及び前記制御内容を調整する調整情報を関連付けて管理する第２の制御指針管理手段と、
を有し、
前記位置情報管理システムは、
前記検知装置から、前記所定空間内の複数の領域のそれぞれの温度を示す検知データを受信する受信ステップと、
前記検知データに基づいて、前記領域毎の熱源有無情報を含んだ熱源データを生成する第１の生成ステップと、
前記熱源データに含まれた前記熱源有無情報に基づいて前記第１の制御指針管理手段を検索することにより読み出した特定の制御内容に対して、前記制御対象手段の位置に基づいて前記第２の制御指針管理手段を検索することにより読み出した特定の調整情報を考慮して、前記領域毎に最終的な制御内容を示す制御データを生成する第２の生成ステップと、
前記第２の生成ステップによって生成された前記制御データを、前記各制御対象手段を備えた各制御対象装置に送信する送信ステップと、
含むことを特徴とする位置情報管理方法。
【請求項８】
コンピュータに、請求項７に記載の各ステップを実行させるためのプログラム。
【発明の詳細な説明】
【技術分野】
【０００１】
本発明は、所定空間における１以上の制御対象手段の位置を管理する発明に関する。
【背景技術】
【０００２】
オフィス等の空間を領域で区画してみると、人間がいる領域といない領域が混在するのが通常である。人間がいる領域では、その人間の業務に支障が生じないように照明機器を点灯させる必要があり、人間がいない領域では、照明機器を点灯させる必要がない。電力の無駄をなくす為には、照明機器をＯＦＦにしたほうがよい。従来、サーモパイルによる温度分布センサにより、人間の存在の有無を検知し、人間が存在しない領域に対しては、照明器具をＯＦＦにすることで省エネを実現している（特許文献１参照）。
【発明の概要】
【発明が解決しようとする課題】
【０００３】
しかしながら、特許文献１に記載の装置では、人間の有無以外の情報を考慮していないため、実情に合った省エネを実現することができないという課題が生じる。
【課題を解決するための手段】
【０００４】
請求項１に係る発明は、所定空間の温度を検知する検知装置と通信可能であり、前記所定空間における１以上の制御対象手段の位置を管理する位置情報管理システムであって、前記所定空間内の所定の領域における熱源の有無を示す熱源有無情報、及び前記所定空間における各制御対象手段の制御内容を関連付けて管理する第１の制御指針管理手段と、前記所定空間の所定の位置を示す位置情報、及び前記制御内容を調整する調整情報を関連付けて管理する第２の制御指針管理手段と、前記検知装置から、前記所定空間内の複数の領域のそれぞれの温度を示す検知データを受信する受信手段と、前記検知データに基づいて、前記領域毎の熱源有無情報を含んだ熱源データを生成する第１の生成手段と、前記熱源データに含まれた前記熱源有無情報に基づいて前記第１の制御指針管理手段を検索することにより読み出した特定の制御御内容に対して、前記制御対象手段の位置に基づいて前記第２の制御指針管理手段を検索することにより読み出した特定の調整情報を考慮して、前記領域毎に最終的な制御内容を示す制御データを生成する第２の生成手段と、前記第２の生成手段によって生成された前記制御データを、前記各制御対象手段を備えた各制御対象装置に送信する送信手段と、を有することを特徴とする位置情報管理システムである。
【発明の効果】
【０００５】
以上説明したように本発明によれば、人間の存在の有無だけでなく、所定空間の所定の位置に応じて制御対象手段の制御内容を調整するため、より実情に合った省エネを実現することができるという効果を奏する。
【図面の簡単な説明】
【０００６】
【図１】本発明の実施形態に係る位置管理システム全体の概略図である。
【図２】制御対象装置が蛍光灯型ＬＥＤ照明器具の場合の外観構成図である。
【図３】検知装置のハードウェア構成図。
【図４】位置情報管理システムのハードウェア構成図である。
【図５】位置管理システムの各機能構成図である。
【図６】（Ａ）は制御対象装置のレイアウト情報の概念図、（Ｂ）は居室αのレイアウト情報の概念図である。
【図７】制御指針管理テーブルの概念図である。
【図８】位置管理システムの処理を示したシーケンス図である。
【図９】（Ａ）は温度分布を示した概念図、（Ｂ）は熱源の有無を示す熱源データの概念図である。
【図１０】１つの居室における全ての熱源の有無を示す熱源データの概念図である。
【図１１】第１の実施形態に係る制御指針管理テーブルの概念図である。
【図１２】各制御対象装置の調光度を算出するための処理を示したフローチャートである。
【図１３】第２の実施形態に係る制御指針管理テーブルの概念図である。
【発明を実施するための形態】
【０００７】
以下、図面を用いて、本発明の実施形態について説明する。
【０００８】
〔実施形態の概略〕
まずは、図１乃至図１０を用いて、本実施形態の概略を説明する。
【０００９】
＜＜位置管理システムの概略＞＞
図１は、本発明の実施形態に係る位置管理システム全体の概略図である。図１に示されているように、本実施形態の位置管理システム１は、所定空間の一例である居室αの天井β側に設置された複数の制御対象装置（２ａ１１，２ａ１２，２ａ１３，２ａ２１，２ａ２２，２ａ２３，２ａ３１，２ａ３２，２ａ３３）、制御対象装置２ｘ１１、無線ルータ６、及び位置情報管理システム８によって構築されている。
【００１０】
また、制御対象装置（２ａ１１，２ａ１２，２ａ１３，２ａ２１，２ａ２２，２ａ２３，２ａ３１，２ａ３２，２ａ３３）は、図１に示されているように、天井βが９分割された各領域にそれぞれ設置されている。そして、真ん中の制御対象装置２ａ２２には、検知装置３が設けられている。なお、以降、制御対象装置（２ａ１１，２ａ１２，２ａ１３，２ａ２１，２ａ２２，２ａ２３，２ａ３１，２ａ３２，２ａ３３）のうち、任意の制御対象装置を示す場合には「制御対象装置２ａ」と示す。一領域は、例えば、７０ｃｍ×７０ｃｍの正方形の範囲である。
【００１１】
制御対象装置２ａは、蛍光灯型ＬＥＤ(Light Emitting Diode)照明器具である。このうち、特に制御対象装置２ａ２２の検知装置３は、サーモパイル(Thermopile)の機能によって、居室α内を複数領域（ここでは、９領域）に分けた温度分布を検出し、熱源の有無を示す熱源データを無線送信する。制御対象装置２ｘ１１は、エアコンである。
【００１２】
無線ルータ６は、検知装置３から送信された熱源データを受信し、通信ネットワーク７を介して位置情報管理システム８に送信する。通信ネットワーク７は、ＬＡＮ(Local Area Network)によって構築されており、一部にインターネットが含まれる場合もある。
【００１３】
位置情報管理システム８は、無線ルータ６から送られて来た熱源データ等に基づいて、制御対象装置２ａ，２ｘを制御するための制御データを生成し、各制御対象装置２ａ，２ｘに送信する。制御対象装置２ａは、制御データに基づいて、ＬＥＤの調光制御を行なう。制御対象装置２ｘ１１は、制御データに基づいて、温度、湿度、風力、及び風向の制御を行なう。即ち、制御対象装置２ａ２２は、居室αの温度分布を検知するだけでなく、自装置のＬＥＤの調光制御を行なう。
【００１４】
＜＜制御対象装置の概略＞＞
次に、図２を用いて、制御対象装置２ａ及び制御対象装置２ａを取り付けるための装置本体について説明する。図２は、制御対象装置が蛍光灯型ＬＥＤ照明器具の場合の外観構成図である。
【００１５】
図２に示されているように、蛍光灯型ＬＥＤ照明器具としての制御対象装置２ａ２２は、直管型のランプ１３０であり、図１に示されている居室αの天井βの中央部あたりに設置された装置本体１２０に取り付けることができる。装置本体１２０の両端部には、それぞれソケット１２１ａ及びソケット１２１ｂが設けられている。このうち、ソケット１２１ａは、ＬＥＤランプ１３０に給電する給電端子（１２４ａ１、１２４ａ２）を有する。また、ソケット１２１ｂも、ＬＥＤランプ１３０に給電する給電端子（１２４ｂ１，１２４ｂ２）を有する。これにより、装置本体１２０は、電源からの電力をＬＥＤランプ１３０に供給することができる。
【００１６】
一方、ＬＥＤランプ１３０は、透光性カバー１３１と、この透光性カバー１３１の両端部にそれぞれ設けられる口金（１３２ａ，１３２ｂ）と、透光性カバー１３１の内部に検知装置３を有する。このうち、透光性カバー１３１は、例えば、アクリル樹脂等の樹脂材料で形成され、内部の光源を覆う様に設けられる。
【００１７】
更に、口金１３２ａには、ソケット１２１ａの給電端子（１２４ａ１，１２４ａ２）にそれぞれ接続される端子ピン（１５２ａ１，１５２ａ２）が設けられている。また、口金１３２ｂには、ソケット１２１ｂの給電端子（１２４ｂ１，１２４ｂ２）にそれぞれ接続される端子ピン（１５２ｂ１，１５２ｂ２）が設けられている。そして、ＬＥＤランプ１３０が装置本体１２０に装着されることで、装置本体１２０から各給電端子（１２４ａ１，１２４ａ２，１２４ｂ１，１２４ｂ２）を介して、各端子ピン（１５２ａ１，１５２ａ２，１５２ｂ１，１５２ｂ２）からの電力供給が可能となる。これにより、ＬＥＤランプ１３０は、透光性カバー１３１を介して外部に光を照射する。また、検知装置３は、装置本体１２０から供給される電力で動作する。
【００１８】
＜＜位置管理システムのハードウェア構成＞＞
以下、位置管理システムを構成する主要部である検知装置３及び位置情報管理システムのハードウェア構成について説明する。
【００１９】
＜検知装置のハードウェア構成＞
次に、図３を用いて、検知装置のハードウェア構成を説明する。なお、図３は、検知装置のハードウェア構成図である。検知装置３は、無線モジュール３０１、アンテナＩ／Ｆ３０２、アンテナ３０２ａ、センサドライバ３０４、温度分布センサ３１１、照度センサ３１２、温湿度センサ３１３、装置コントローラ３１５、及び、上記各構成要素を電気的に接続するためのアドレスバスやデータバス等のバスライン３１０を備えている。
【００２０】
これらのうち、無線モジュール３０１は、無線通信を行なうための部品であり、Ｂｌｕｅｔｏｏｔｈ(登録商標)、ＷｉＦｉ、又はＺｉｇＢｅｅ等の通信方式による通信を行なうことができ、アンテナＩ／Ｆ３０２及びアンテナ３０２ａを介して、外部の装置との無線通信を実現する。なお、通信方式は、無線通信だけでなく、Ｅｔｈｅｒｎｅｔ（登録商標）ケーブルやＰＬＣ（Power Line Communications）などの有線通信であってもよい。無線モジュール３０１は、通信制御プログラムの制御下で動作する。
【００２１】
温度分布センサ３１１は、赤外線を検知することにより居室α内の温度分布を検知するサーモパイル型のセンサである。
【００２２】
照度センサ３１２は、居室α内の明るさを検知するセンサである。温湿度センサ３１３は、居室αの温度及び湿度を検知するセンサである。
【００２３】
センサドライバ３０４は、温度分布センサ３１１、照度センサ３１２、及び温湿度センサ３１３を駆動させ、更に、温度分布センサ３１１から出力された温度分布データから、熱源の有無を示す熱源データを生成する回路である。なお、センサドライバ３０４は、ソフトウェアによって機能を実現してもよい。装置コントローラ３１５は、制御対象装置２ａ内に設けられている場合、ＬＥＤの調光の制御を行なうための回路である。また、装置コントローラ３１５は、制御対象装置２ｘ１１内に設けられている場合、エアコンの風量等の制御を行なうための回路である。これらの回路は、ソフトウェア（例えばＲＡＭのようなメモリに格納された検出制御プログラム）の制御下で動作するプログラムによって動作する。なお、制御対象装置２ａ２２以外の制御対象装置２ａは、図３に示されている構成のうち、無線モジュール３０１、アンテナＩ／Ｆ３０２、アンテナ３０２ａ、バスライン３１０、及び装置コントローラ３１５を備えている。制御対象装置２ａ２２以外の制御対象装置２ａは、位置情報管理システム８と通信する能力を有する通信装置５を備えている。
【００２４】
＜位置情報管理システムのハードウェア構成＞
次に、位置情報管理システムのハードウェア構成について説明する。なお、図４は、位置情報管理システムのハードウェア構成図である。
【００２５】
位置情報管理システム８は、コンピュータによって構成されている。そして、位置情報管理システム８は、位置情報管理システム８全体の動作を制御するＣＰＵ８０１、ＩＰＬ(Initial Program Loader)等のＣＰＵ８０１の駆動に用いられるプログラムを記憶したＲＯＭ８０２、ＣＰＵ８０１のワークエリアとして使用されるＲＡＭ８０３、位置情報管理プログラム等の各種データを記憶するＨＤ８０４、ＣＰＵ８０１の制御にしたがってＨＤ８０４に対する各種データの読み出し又は書き込みを制御するＨＤＤ(Hard Disk Drive)８０５、フラッシュメモリ等の記録メディア８０６に対するデータの読み出し又は書き込み（記憶）を制御するメディアＩ／Ｆ８０７、カーソル、メニュー、ウィンドウ、文字、又は画像などの各種情報を表示するディスプレイ８０８、通信ネットワーク７を利用してデータ通信するためのネットワークＩ／Ｆ８０９、文字、数値、各種指示などの入力のための複数のキーを備えたキーボード８１１、各種指示の選択や実行、処理対象の選択、カーソルの移動などを行うマウス８１２、着脱可能な記録媒体の一例としてのＣＤ−ＲＯＭ(Compact Disc Read Only Memory)８１３に対する各種データの読み出し又は書き込みを制御するＣＤ−ＲＯＭドライブ８１４、及び、上記各構成要素を電気的に接続するためのアドレスバスやデータバス等のバスライン８１０を備えている。
【００２６】
＜＜位置管理システムの機能構成＞＞
続いて、図５を用いて、検知装置３を含む制御対象装置２ａ２２、制御対象装置２ａ１１（２ｘ）及び位置情報管理システム８のハードウェア構成について説明する。図５は、位置管理システムの各機能構成図である。
【００２７】
＜制御対象装置２ａ２２の機能構成＞
まずは、制御対象装置２ａ２２の機能構成について説明する。制御対象装置２ａ２２は、検知装置３及び制御対象部２０によって構成されている。更に、検知装置３は、機能又は手段として、送受信部３１、検知部３２、及び制御部３５を有している。制御対象部２０は、例えば、調光制御の対象であるＬＥＤランプ１３０である。
【００２８】
検知装置３のうち、送受信部３１は、無線モジュール内のプログラムに従った命令によって動作することで実現される機能又は手段である。例えば、送受信部３１は、通信ネットワーク２を介して、位置情報管理システム８とデータの送受信を行う。
【００２９】
検知部３２は、各センサ３１１、３１２、３１３が動作することで実現される機能又は手段である。例えば、検知部３２は、所定空間内の各領域の温度分布を検知する。
【００３０】
制御部３５は、装置コントローラ３１５が動作することで実現される機能又は手段である。例えば、制御部３５は、位置情報管理システム８から送られて来た制御データに基づいて、制御対象部２０に出力するための制御信号を生成する。
【００３１】
＜制御対象装置２ａ１１の機能構成＞
次に、制御対象装置２ａ１１の機能構成について説明する。制御対象装置２ａ１１は、通信装置５及び制御対象部２０によって構成されている。更に、通信装置５は、送受信部５１、及び制御部５５を有している。制御対象部２０は、例えば、調光制御の対象であるＬＥＤの発光機能である。なお、エアコンとしての制御対象装置２ｘ１１の場合、制御対象部２０は、温度、湿度、風力、及び風向の制御を行なうエアコンのコンプレッサ等である。
【００３２】
通信装置５のうち、送受信部５１は、無線モジュール内のプログラムに従った命令によって動作することで実現される機能又は手段である。なお、送受信部５１は、上述の送受信部３１と同様の機能又は手段であるため、その説明を省略する。
【００３３】
制御部５５は、装置コントローラ３１５が動作することで実現される機能又は手段である。なお、制御部５５は、上述の制御部３５と同様の機能又は手段であるため、その説明を省略する。
【００３４】
＜位置情報管理システムの機能構成＞
次に、位置情報管理システムの機能構成について説明する。位置情報管理システム８は、送受信部８１、照合部８２、生成部８４、及び記憶・読出処理部８９を有している。各部は、ＨＤ８０４からＲＡＭ８０３上に展開された位置情報管理プログラムに従ったＣＰＵ８０１からの命令によって動作することで実現される機能又は手段である。更に、位置情報管理システム８は、図４に示されているＲＡＭ８０３、及びＨＤ８０４によって構築される記憶部８０００を有している。また、記憶部８０００には、レイアウト管理ＤＢ８００１及び制御指針管理ＤＢ８００２が構築されている。
【００３５】
（レイアウト管理ＤＢ）
次に、図６を用いて、レイアウト管理ＤＢ８００１について説明する。レイアウト管理ＤＢ８００１には、図６（Ａ）に示されているような制御対象装置のレイアウト情報が管理されている。なお、図６（Ａ）は制御対象装置のレイアウト情報の概念図、図６（Ｂ）は居室のレイアウト情報の概念図である。図６（Ａ）に示されているレイアウト情報の各領域は、図６（Ｂ）に示されている実際の居室αのレイアウト上では、波線又は実線で区切られている領域を示している。
【００３６】
また、図６（Ａ）に示されているように、制御対象装置のレイアウト情報は、１つの居室αを５４領域に分割して、それぞれの領域にＬＥＤ照明器具としての制御対象装置を識別するための装置ＩＤが管理されている。このうち、装置ＩＤが「ａ」で始まる左上側のブロックが、図１における９領域に対応する。即ち、図１は、居室αの一部を示しており、居室αとしては、装置ＩＤが、ａ，ｂ，ｃ，ｄ，ｅ，ｆで始まる６つのブロックに分けられている。更に、各ブロックは９領域に分けられ、合計５４領域に分けられている。なお、このように分けたのは一例であって、何ブロックに分けてもよいし、１ブロック内を９領域以外の数の領域に分けてもよい。
【００３７】
また、図６（Ａ）のうち、装置ＩＤｘ１１，ｘ１２，ｘ２１，ｘ２２は、それぞれエアコンとしての制御対象装置２ｘ１１，２ｘ１２，２ｘ２１，２ｘ２２を識別するための装置ＩＤである。制御対象装置２ｘ１２，２ｘ２１，２ｘ２２は、図１には示されていないが、図６（Ａ）でｘ１２，ｘ２１，ｘ２２が示されている天井βに設置されている。即ち、居室αの天井βには、４機のエアコンが取り付けられている。なお、以降、制御対象装置（２ｘ１１，２ｘ１２，２ｘ２１，２ｘ２２）のうち、任意の制御対象装置を示す場合には「制御対象装置２ｘ」と示す。
【００３８】
また、図６（Ｂ）には、机や椅子が配置されている実際のレイアウトが示されている。図６（Ｂ）においても、図６（Ａ）の居室と同じ居室内を５４領域に分割している。即ち、図６（Ｂ）の各領域の位置は、図６（Ａ）の各領域の位置と同じである。図６（Ｂ）では、紙面下側が廊下γ側になっており、紙面上側が窓側になっている。
【００３９】
（制御指針管理ＤＢ）
次に、図７を用いて、制御指針管理ＤＢ８００２について説明する。制御指針管理ＤＢには、図７に示されているような制御指針管理テーブルが管理されている。この制御指針管理テーブルでは、熱源有無情報毎に、制御対象部２０の制御内容が関連付けて管理されている。例えば、熱源有無情報が、熱源がある旨を示す「１」の場合には、その領域に人がいるため、ＬＥＤの光量を最大にすべく調光度を１００％にしている。これに対して、熱源有無情報が、熱源がない旨を示す「０」の場合には、その領域に人がいないため、省エネを実現すべくＬＥＤの光量を若干下げて６０％にしている。なお、１００％及び６０％は、一例であって、９０％及び５０％等、熱源「１」の調光度が熱源「０」の調光度よりも高ければ、何パーセントであってもよい。
【００４０】
（位置情報管理システムの各機能構成）
次に、図５を用いて、位置情報管理システム８の各機能構成について説明する。
【００４１】
図５に示されている送受信部８１は、例えば、検知装置３から検知データを受信したり、検知装置３に制御データを送信したりする。
【００４２】
照合部８２は、例えば、後述の図６（Ａ）に示されているレイアウト情報と、後述の図１０に示されている熱源データを照合する。
【００４３】
生成部８４は、例えば、温度分布データに基づいて熱源の有無を示す熱源データを生成する。また、生成部８４は、例えば、制御対象装置２ａ，２ｘに対する調光度を示す制御データを生成する。
【００４４】
記憶・読出処理部８９は、例えば、記憶部８０００からデータを読み出したり、記憶部８０００にデータを記憶したりする。
【００４５】
＜＜位置管理システムの処理又は動作＞＞
以下、図８乃至図１０を用いて、位置管理システムの処理又は動作について説明する。図８は、位置管理システムの処理を示したシーケンス図である。図９（Ａ）は温度分布を示した概念図、図９（Ｂ）は熱源の有無を示す熱源データの概念図である。図１０は、１つの居室における全ての熱源の有無を示す熱源データの概念図である。
【００４６】
ここでは、位置情報管理システム８が、制御対象装置２ａ２２で検知された各種データに基づいて、各制御対象装置２ａ，２ｘを制御するための制御データを生成し、各制御対象装置２ａ，２ｘに制御データを送信することで、各制御対象装置２ａ，２ｘが調光や風量等の制御を行なう処理が開示されている。なお、説明の簡略化のため、制御対象装置２ａのうち、検知装置３を備えた制御対象装置２ａ２２、及び通信装置５を備えた制御対象装置２ａ１１の処理について説明する。
【００４７】
まず、図８に示されているように、制御対象装置２ａ２２の検知部３２が、居室αにおける各領域の温度分布を検知する（ステップＳ２１）。また、制御対象装置２ａ２２の検知部３２は、制御対象装置２ａ２２付近の照度、温度、及び湿度を検知する（ステップＳ２２）。そして、送受信部３１は、位置情報管理システム８に対して、検知データを送信する（ステップＳ２３）。この検知データには、ステップＳ２１によって検知された結果を示す温度分布データ、及びステップＳ２２によって検知された結果を示す温湿度データ及び照度データが含まれている。これにより、位置情報管理システム８の送受信部８１は、検知データを受信する。
【００４８】
次に、位置情報管理システム８の生成部８４が、温度分布データに基づき、熱源データを生成する（ステップＳ２４）。ここで、図９を用いて、熱源データの生成について説明する。検知装置３の検知部３２が各領域の温度を検知した結果、９つの領域の温度分布が図９（Ａ）に示される状態になった場合、位置情報管理システム８の生成部８４は、図９（Ｂ）に示されるような熱源データを生成する。即ち、熱源データは、熱源の有無を示す熱源有無情報によって示されており、温度が３０℃以上の領域は「１」として表し、温度が３０℃未満の領域は「０」として表している。また、ステップＳ２４において、生成部８４は、各プロックから送られて来た温度分布データに基づいて生成した熱源データを合成する。この合成された状態のデータが、図１０に示されている。図１０は、１つの居室における全ての熱源の有無を示す熱源データの概念図である。例えば、図９（Ｂ）に示されている熱源データは、図１０における左上の第１ブロックを構成している。
【００４９】
次に、位置情報管理システム８の記憶・読出処理部５９は、レイアウト管理ＤＢ８００１から、図６（Ａ）に示されているレイアウト情報を読み出す（ステップＳ２５）。そして、照合部８２は、図６（Ａ）に示されているレイアウト情報と、図１０に示されている熱源データを照合する（ステップＳ２６）。この照合により、例えば、レイアウト情報における制御対象装置の位置（ａ１１）には、熱源データにより、「１」即ち「熱源がある」ということになる。
【００５０】
次に、位置情報管理システム８の記憶・読出処理部５９は、熱源データにおいて熱源の有無を示す「１」、「０」を検索キーとして、制御指針管理ＤＢ８００２を検索することにより、対応する調光度を読み出す（ステップＳ２７）。そして、生成部８４は、制御対象装置２ａ１１に対する調光度を示す制御データを生成する（ステップＳ２８）。また、エアコンとしての制御対象装置２ｘの場合、生成部８４は、制御対象装置２ｘ毎に風量等を示す制御データを生成する。
【００５１】
次に、送受信部５１は、制御対象装置２ａ２２，２ａ１１に対して、それぞれの制御データを送信する（ステップＳ２９−１，Ｓ２９−２）。これに対して、制御対象装置２ａ２２の検知装置３における送受信部３１は、制御データを受信する。また、制御対象装置２ａ１１の通信装置５における送受信部５１は、制御データを受信する。
【００５２】
次に、制御対象装置２ａ２２では、検知装置３の制御部３５が、制御データに基づいてＬＥＤランプとしての制御対象部２０に出力するための制御信号を生成し（ステップＳ３０−１）、制御対象部２０に出力する（ステップＳ３１−１）。これにより、ＬＥＤランプとしての制御対象部２０の光量が制御される。同様に、制御対象装置２ａ１１では、通信装置５の制御部５５が、制御データに基づいてＬＥＤランプとしての制御対象部２０に出力するための制御信号を生成し（ステップＳ３０−２）、制御対象部２０に出力する（ステップＳ３１−２）。これにより、ＬＥＤランプとしての制御対象部２０の光量が制御される。例えば、図９（Ａ）において、制御対象装置２ａ２２の真下には熱源がないとして「０」で示されているため、制御対象装置２ａ２２の制御内容は、図７に従い６０％の調光度となる。一方、図９（Ａ）において、制御対象装置２ａ１１の真下には熱源があるとして「１」で示されているため、制御対象装置２ａ１１の制御内容は、図７に従い１００％の調光度となる。これにより、人がいるため熱源が検知された場合には、ＬＥＤの光量を最大値にし、人がいないため熱源が検知されなかった場合には、ＬＥＤの光量が下がるため、省エネを実現することができる。
【００５３】
〔本実施形態の具体的な説明〕
以下、図１１乃至図１３を用いて、本実施形態の具体的な説明を行う。ここでは、図８のステップＳ２７，２８における２つのパターンについて説明する。
【００５４】
＜＜第１の実施形態＞＞
＜第１の実施形態の特徴＞
以下、図１１及び図１２を用いて、第１の実施形態について説明する。図１１は、制御指針管理テーブルの概念図である。なお、図７のテーブルは、基本的な調光度を算出するために利用される基本制御指針管理テーブル（第１の制御指針管理テーブル一例）であり、図１１のテーブルは、基本的な調光度を領域種類に応じて変更するための応用制御指針管理テーブル（第２の制御指針管理テーブルの一例）である。制御指針管理ＤＢ８００２には、図７の基本制御指針管理テーブル、及び図１１の応用制御指針管理テーブルが管理されている。
【００５５】
図１１に示されている応用制御指針管理テーブルには、領域の種類を示す領域種類毎に、領域の位置情報、及び基本的な調光度に掛けて調光度を調整するための調整情報（例えば、係数）が関連付けて管理されている。例えば、領域種類が「窓側」の場合、窓側の位置は図６（Ａ）に示されている制御対象装置のレイアウト情報のうち、制御対象装置の装置ＩＤの始めの記号である「ａ」、「ｂ」、「ｃ」がある領域であり、これらの領域では基本的な調光度に対して係数が「０．８」が掛けられる。この指針は、窓側は廊下側よりも明るいという実情を考慮して設定されたものである。
【００５６】
続いて、図１２を用いて、本実施形態の処理又は動作について説明する。図１２は、各制御対象装置の調光度を算出するための処理を示したフローチャートである。図１２では、図８のステップＳ２７の処理を詳細に説明するために、ステップＳ２７−１，２の処理を示し、図８のステップＳ２８の処理を詳細に説明するために、ステップＳ２８−１，２の処理を示している。
【００５７】
まず、位置情報管理システム８の記憶・読出処理部８９は、領域毎に、上記ステップＳ２３によって受信された温度分布データにおける熱源の有無を示す「１」、「０」を検索キーとして、基本制御指針管理テーブル（図７参照）を検索することにより、対応する調光度を読み出す（ステップＳ２７−１）。また、記憶・読出処理部８９は、領域毎に、図６（Ａ）に示されている装置ＩＤの始めの記号「ａ」等を検索キーとして、応用制御指針管理テーブル（図１１参照）を検索することにより、対応する係数を読み出す（ステップＳ２７−２）。
【００５８】
次に、生成部８４は、上記ステップＳ２７−１で読み出された基本的な調光度に対して、上記ステップＳ２７−２で読み出された係数を掛けることで、領域毎の最終的な調光度を算出する（ステップＳ２８−１）。そして、生成部８４は、ステップＳ２８−１の算出結果を用いて、各領域における制御データを生成する（ステップＳ２８−２）。
【００５９】
なお、応用制御指針管理テーブルでは、レイアウトを考慮した領域種類が設定されているが、これに限るものではなく、時間帯の要素を含めたレイアウトを考慮して領域種類を設定してもよい。例えば、３時間毎に係数を設定してもよい。
【００６０】
＜第１の実施形態の効果＞
以上説明したように、本実施形態によれば、人間の存在の有無だけでなく、窓側か廊下側か等の居室のレイアウトを考慮して、詳細に調光度を制御することができる。これにより、より実情に合った省エネを実現することができるという効果を奏する。
【００６１】
＜＜第２の実施形態＞＞
＜第２の本実施形態の特徴＞
以下、図１３を用いて、第２の実施形態について説明する。図１３は、制御指針管理テーブルの概念図である。なお、図１３のテーブルは、基本的な調光度を領域種類に応じて変更するための応用制御指針管理テーブル（第２の制御指針管理テーブルの一例）である。制御指針管理ＤＢ８００２には、図７の基本制御指針管理テーブル、及び図１３の応用制御指針管理テーブルが管理されている。
【００６２】
図１３に示されている応用制御指針管理テーブルは、図１１に示されている応用制御指針管理テーブルと構造は同じであるが、管理されている属性が異なる。即ち、第１の実施形態では、太陽光を要素に含めたレイアウトを考慮して調光度を定めているが、第２の実施形態では、仕事の内容を考慮して調光度を定めている。図１３では、領域種類として、休憩場所、事務作業場所、及び精密作業場所が管理されている。また、ここでは、図６（Ａ），（Ｂ）に示されている居室α全体が３分割され、左側が休憩場所、中央が事務作業場所、右側が精密作業場所となっている。そして、休憩場所は暗くてもよいため係数が「０．６」であり、事務作業場所は比較的明るいほうが良いため係数が「０．８」であり、精密作業場所は最大の明るさを必要とするため係数が「１」となっている。
【００６３】
なお、本実施形態の処理又は動作は、第１の実施形態と同様の処理又は動作であるため、説明を省略する。また、第１と第２の実施形態の応用制御管理テーブルを組み合わせて利用してもよい。
【００６４】
＜第２の実施形態の効果＞
以上説明したように、本実施形態によれば、人間の存在の有無だけでなく、仕事の精密さ等の仕事の内容を考慮して、詳細に調光度を制御することができる。これにより、より実情に合った省エネを実現することができるという効果を奏する。
【符号の説明】
【００６５】
１  位置管理システム
２ａ１１  制御対象装置
２ａ２２  制御対象装置
２ｘ１１  制御対象装置
３  検知装置
５  通信装置
６  無線ルータ
７  通信ネットワーク
８  位置情報管理システム
２０  制御対象部（制御対象手段の一例）
３１  送受信部
３２  検知部
３３  判断部
３４  生成部
３５  制御部
５１  送受信部
５５  制御部
８１  送受信部（受信手段の一例、送信手段の一例）
８２  照合部
８４  生成部（第１の生成手段の一例、第２の生成手段の一例）
８９  記憶・読出処理部
８０００  記憶部
８００１  レイアウト管理ＤＢ
８００２  制御指針管理ＤＢ（第１の制御指針管理手段の一例、第２の制御指針管理手段の一例）
【先行技術文献】
【特許文献】
【００６６】
【特許文献１】特許第４３４０９２５
【図１】
2016066604.tif 000003
【図２】
2016066604.tif 000004
【図３】
2016066604.tif 000005
【図４】
2016066604.tif 000006
【図５】
2016066604.tif 000007
【図６】
2016066604.tif 000008
【図７】
2016066604.tif 000009
【図８】
2016066604.tif 000010
【図９】
2016066604.tif 000011
【図１０】
2016066604.tif 000012
【図１１】
2016066604.tif 000013
【図１２】
2016066604.tif 000014
【図１３】
2016066604.tif 000015